(57)【要約】【目的】平坦な場所を移動させる際と殆ど同じ姿勢で、階段などの段差のある場所においても、荷運びカートを持ち上げることなく移動させることができて、荷運び負担を軽減できる荷運びカートの段差解消機構の提供を目的としている。【構成】  本発明の一実施例における荷運びカートの段差解消機構は、ローラ２Ｌおよびローラ２Ｒを有するショッピングカート１と、ローラ軸３を中心として回転自在となるように支承された摺動機構９と、摺動機構９の設定角度を変更するためのリンク２１ａ、２１ｂ、軸２０およびスライダー１７と、スライダー１７を上下動させる操作バー１４および操作ノブ１８、ショッピングカート１のＵ字型パイプ４に取り付けられた保持部材で、スライダー１７、操作バー１４を摺動自在に案内する保持部材１１とから概略構成されている。【選択図】        図２
2005145420.tif 000002
【特許請求の範囲】
【請求項１】
旅行用カバンやショッピングカートなどのローラ付荷運びカートにおいて、
荷運びカートのローラまたはローラ近傍を回転中心として
荷運びカートにより回転自在に支承された摺動機構を設けて、
該摺動機構の荷運びカートに対する設定角度を変更できる手段を設けたことを
特徴とする荷運びカートの段差解消機構。
【発明の詳細な説明】
【技術分野】
【０００１】  この発明は、旅行用カバンやショッピングカートなど、床面を移動容易にするためのローラが付いている荷運びカートを、階段などの段差部を移動させる際の段差解消機構に関する。
【背景技術】
【０００２】  従来、旅行用カバンやショッピングカートなどの荷運びカートでは、平坦な床面を移動させることを容易にするためのローラと取手が付いている。【０００３】  上述したローラによって、平坦な床面や道路上では、カートを持ち上げることなくローラで転がして移動できる。しかしながら、階段などの段差のある場所を移動させるためにはカートを持ち上げる必要がある。【０００４】  上記の段差のある場所を移動する際の課題を解決するために、特開２０００−１８５６５５（特願平１１−１７７３２１）によって、カートの背面にカートで案内されて上下に往復動できるスライダーを設けて、階段を移動する際にはスライダーにカートの重量を預ける方法が提案されている。
【発明の開示】
【発明が解決しようとする課題】
【０００５】  しかしながら、特開２０００−１８５６５５で提案された方法は、次のような不具合があって、実用化されていない。【０００６】  第一の不具合は、スライダーをカートの背面で往復動するように案内しているため、階段を移動する際にはカート全体を大きく傾けて階段にスライダーを接触させなければならない。そのため、カートを運ぶ人も姿勢を傾ける必要がある。カートを運ぶ人の姿勢を傾けなくてもよいようにするため、取手を予め曲げておくこともできるが、その場合、平坦な場所を移動する際、曲がった取手では移動に不便となる。【０００７】  第二の不具合は、カートの背面にスライダーを案内する機構を設けなければならず、ショッピングカートや旅行カバンなどの荷運びカートに適用するためには現在使用しているカートを大幅に改造する必要があるため、外観の見栄え、重量などを考慮すると、なかなか商品化に踏み切れないという難点がある。【０００８】  近年、バリアフリーの社会に向けて、飛行場、大きな駅、および大店舗のショッピングセンターなどでは、床面の段差は解消されており、また階上に移動するためのエスカレータやエレベータが整備されているため、上述した荷運びカートは便利である。【０００９】  しかしながら、まだまだ我が国はバリアフリーの社会として成熟しておらず、地方の駅、中小のスーパーマーケットなどにおいては、上記の荷運びカートを、階段などの段差部で移動させなければならないことが多く見かけられる。【００１０】  また、お年寄りの一人住まいのアパートの２階などにおいては、階段を通じて上下しなければならず、従来の荷運びカートでは段差のある場所でカートを持ち上げなければならず、生活者の荷運び負担が大きい。
【課題を解決するための手段】
【００１１】  本発明は、上述した従来の荷運びカートの不具合に鑑みてなされたもので、平坦な場所を移動させる際と殆ど同じ姿勢で、階段などの段差のある場所においても、荷運びカートを持ち上げることなく移動させることができて、荷運び負担を軽減できる段差解消機構の提供を目的としている。【００１２】  上述した課題を解決し、目的を達成するため、この発明に係わる荷運びカートの段差解消機構は、請求項１の記載によれば、荷運びカートのローラまたはローラ近傍を回転中心として荷運びカートにより回転自在に支承された摺動機構を設けて、該摺動機構の荷運びカートに対する設定角度を変更できる手段を設けたことを特徴としている。
【発明の効果】
【００１３】  本発明請求項１に記載の荷運びカートの段差解消機構では、荷運びカートのローラ中心またはローラ中心近傍において回転自在に支承された摺動機構があり、その摺動機構の設定角度を変更できる。【００１４】  したがって、段差のない平坦な場所を移動する際には、摺動機構を鉛直に立てて移動に支障のない角度としておける。【００１５】  また、階段などの段差のある場所においては、摺動機構を傾斜させて段差部に接触させ、荷運びカートの重量を摺動機構に預けながら、階段などの段差部を移動することができる。その結果、段差部の移動において、荷運びカートを持ち上げる必要がなくなり、また、荷を運ぶ人の姿勢は平坦部を移動する際と殆ど同じ姿勢で段差部を移動させることができ、荷運びの負担を大幅に軽減できる。
【発明を実施するための最良の形態】
【００１６】  以下に図面を参照して本発明に係わる一実施の形態例を詳細に説明する。
なお、本発明は以下に説明する構成の相対位置、数値等に何ら限定されるものではなく、特に特定的な記載がない限り本発明の範囲を以下の記載に限定するものではない。【００１７】  ＜実施例＞
図１及び図２を参照して本発明の一実施例について説明する。図１は、本発明の一実施例として、本発明を適用するショッピングカートの構成と段差解消機構の構成を示している。また、図２は、本発明の作用および効果を説明するため、本発明を適用したショッピングカートを階段で移動させる様子を示している。【００１８】  先ず図１にしたがって、本発明を適用するショッピングカート１の構成を説明する。ショッピングカート１は、左右のローラ２Ｒ、２Ｌ、二つのローラをつないで回転自在に支承するローラ軸３、ローラ軸３に両端を固定された垂直Ｕ字形パイプ４、垂直Ｕ字形パイプ４に両端を固定された水平Ｕ字形パイプ６、垂直Ｕ字形パイプ４に両端を固定され途中を水平Ｕ字形パイプ６に接合された傾斜Ｕ字形パイプ７、および図示しない紐またはマジックテープで垂直Ｕ字形パイプ４に繋がれた収納袋８とで構成されている。５は垂直Ｕ字形パイプ４に取り付けられたゴムの取手である。【００１９】  次に図１にしたがって、段差解消機構を説明する。段差解消機構は、左右対称に１対の機構が設けられているので、片方だけの説明を行う。【００２０】  保持部材１０、１１は垂直Ｕ字形パイプ４を挟んで、複数のボルト１２で強固に取り付けられている。【００２１】  保持部材１１の上部には、図示しないボルトによって案内ブロック１３が取り付けられ、案内ブロック１３に設けられた貫通穴１５に操作バー１４が嵌合されて摺動自在に案内されている。また、操作バー１４の下端１６はスライダー１７にネジで固定されている。操作バー１４の上端には操作ノブ１８が取り付けられている。【００２２】  スライダー１７は保持部材１１に設けられた案内溝１９に嵌着されており、保持部材１１で上下方向に摺動自在に案内され、操作ノブ１８の操作により操作バー１４が上下動するのに伴って、スライダー１７は上下に移動するようになっている。【００２３】  また、スライダー１７の下部は軸２０を介してリンク２１ａ、２１ｂの上端が軸２０を中心として回転自在となるように連結されており、リンク２１ａ、２１ｂの下端は軸２２を介してリンク２３ａ、２３ｂに連結されている。【００２４】  リンク２３ａ、２３ｂは、上下端のプーリ２４、２５および中間に配置した複数の小プーリ２６の両端を回転自在となるように支承している。【００２５】  プーリ２４、２５にはベルト２７が循環自在となるように支承されており、ベルト２７は、回転部分はプーリ２４、２５で案内され、直線部分の一部は好く複数の小プーリ２６で案内されて循環するようになっている。【００２６】  摺動機構９は、前記のリンク２３ａ、２４ｂ、プーリ２４、２５、複数の小プーリ２６、およびベルト２７で構成されている。【００２７】  支持部材２８、２９はリンク２３ｂに固定して取り付けられているとともに、ローラ軸３を挟んで支持するように取り付けられている。支持部材２８、２９を介して、リンク２３ｂはローラ軸３によって回転自在となるように支承されている。【００２８】  スライダー１７は上端位置で落下しないように保持されているが、その保持機構をＳ部拡大図にしたがって説明する。【００２９】  スライダー１７の上端近傍には嵌着板３２がボルト３３によって固定されており、案内ブロック１３の下端近傍にはホールド板３０がボルト３１によって固定されている。【００３０】  スライダー１７が上昇端へ移動すると、嵌着板３２の嵌着棒３４がホールド板３０を弾性変形させて押しのけて開き、ホールド板３０が嵌着棒３４を抱え込むことによって、スライダー１７は上昇端で保持されるようになっている。【００３１】  リンク２１ａ、２１ｂと摺動機構９とはリンク機構の一部を構成しており、スライダー１７が下降すると、摺動機構９はローラ軸３を中心として揺動し、その設定角度が変わるようになっている。【００３２】  次に、図２にしたがって、本発明を適用したショッピングカートの作用と効果を説明する。【００３３】  図２において、操作ノブ１８を（１８）および破線で示す位置から、矢印ａに示す方向に案内ブロック１３と当たる位置まで下げると、操作バー１４によってスライダー１７は保持部材１１で案内されながら下降端まで押し下げられる。【００３４】  リンク２１ａ、２１ｂと摺動機構９とはリンク機構の一部を構成しているためスライダー１７の下降に伴って、リンク２１ａ、２１ｂと摺動機構９はその角度を変え、摺動機構９はローラ軸３を中心として揺動し、垂直Ｕ字型パイプ４に対して図示するように角度θをなす。【００３５】  上記の状態に摺動機構９の角度を設定しておき、垂直Ｕ字型パイプ４が鉛直線に対して図示するように角度γをなすように、ショッピングカート１を傾斜させて、階段３５に沿ってショッピングカート１を移動させる。【００３６】  この場合、摺動機構９にショッピングカート１に作用する重力の一部を預けながら、取手５を矢印ｂに示す方向に引き上げると、ショッピングカート１を持ち上げることなく階段３５に沿って移動させて上がることができる。【００３７】  すなわち、本発明を適用したショッピングカートによれば、階段などの段差のある移動通路においても、ショッピングカートを持ち上げることなく、ショッピングカートに作用する重力の一部を摺動機構に預けながら、段差部分を滑走するようにショッピングカートを移動させることができる。その結果、階段などの段差のある通路を楽々と移動できる。【００３８】  また、階段を移動する際も、摺動機構を傾けて階段の傾斜にあわせることができ、平坦部と殆ど同じ姿勢で移動できる。その結果、無理な姿勢でなく自然な姿勢で移動できる。【００３９】  なお、実施例では、摺動機構としてプーリで支承されたベルトを使用しているが、その他の機構部品でも実現できる。例えば、平ベルトの代わりにタイミングベルトとし、プーリも歯車形式のものを使用することもあり得る。また、ベルトの代わりにチェーンを使用することもあり得る。【００４０】  さらに、ベルト２７を省略し、複数のプーリを並べて摺動機構とすることも可能である。【００４１】  すなわち、摺動機構としては摺動摩擦を低減する目的とする機構であり、その種類には限定されない。
【産業上の利用可能性】
【００４２】
【００４３】  実施例ではショッピングカートを本発明の適用例として説明したが、本発明は旅行用カバンにも適用することができる。また、病院や生産工場で用いられる酸素ボンベの輸送カートなど、すべての荷を運ぶカートに関して本発明の適用分野がある。
【図面の簡単な説明】
【００４４】
【図１】本発明の一実施例において、本発明を適用するショッピングカートの構成と段差解消機構の構成図。
【図２】本発明の一実施例において、本発明の作用および効果を説明するため、本発明を適用したショッピングカートを階段で移動させる様子を示す図。
【符号の説明】
【００４５】１    ショッピングカート
２Ｌ、２Ｒ    ローラ
３    ローラ軸
４    垂直Ｕ字型パイプ
５    ゴムの取手
６    水平Ｕ字形パイプ
７    傾斜Ｕ字形パイプ
８    収納袋
９    摺動機構
１０  保持部材
１１  保持部材
１２  ボルト
１３  案内ブロック
１４  操作バー
１５  貫通穴
１６  操作バーの下端
１７  スライダー
１８  操作ノブ
１９  保持部材１１に設けられた案内溝
２０  軸
２１ａ、２１ｂ  リンク
２２  軸
２３ａ、２３ｂ  リンク
２４  プーリ
２５  プーリ
２６  小プーリ
２７  ベルト
２８  支持部材
２９  支持部材
３０  ホールド板
３１  ボルト
３２  嵌着板
３３  ボルト
３４  嵌着棒
３５  階段
【図１】
2005145420.tif 000003
【図２】
2005145420.tif 000004